(57)【特許請求の範囲】
【請求項１】
ガス通路に介設されたニードル弁にピンを突設し、このピンに火力調節レバーを係合させて、火力調節レバーを操作することによりニードル弁を進退させてガス通路の通路面積を増減しガスの流量を調節する火力調節装置であって、火力調節レバーとは別個に点消火ボタンを備え、この点消火ボタンによる点火操作時にニードル弁を点火に適した火力位置まで移動させる点火火力設定手段を備えたものにおいて、点火火力設定手段を、点消火ボタンの点火操作により揺動されるカム板形状に構成すると共に、上記ピンをニードル弁から相違する２方向に突出させ、一方のピンに火力調節レバーを係合させ他方のピンに点火火力設定手段を係合させ、さらに火力調節レバーを揺動自在に保持する揺動軸とは別の揺動軸により点火火力設定手段を保持させたことを特徴とする火力調節装置。
【発明の詳細な説明】
【技術分野】
【０００１】
本発明は、ガスバーナへガスを供給するガス通路の途中に設けられ、ガスの流量を制御することによりガスバーナの火力を調節する火力調節装置に関する。
【背景技術】
【０００２】
従来のこの種の火力調節装置としては、左右方向に揺動する火力調節レバーを備えており、この火力調節レバーを左右に揺動させて火力調節を行っている。また、この火力調節装置とは別個に点消火ボタンを備えており、この点消火ボタンを押し込んでバーナに点火を行い、その後火力調節レバーを操作して火力調節を行う。そして、消火する際には点消火ボタンを再度押し操作して、ガスバーナへのガスの供給を停止するように構成されている。
【０００３】
このように火力調節レバーと点消火ボタンとが別個に設けられているため、点火する際に火力調節レバーが弱火位置にあると、ガスバーナから噴出するガス量が少ないため、確実に点火することが難しいという不具合が生じる。
【０００４】
そこで、点火時に点消火ボタンを押し操作すると、点消火ボタンの押し操作に連動して火力を点火に適した火力にする点火火力設定手段を設けたものが知られている。
【０００５】
例えば、火力調節レバーから係合部を張り出させ、点消火ボタンを押し操作すると点消火ボタンの一部がこの係合部に係合して火力調節レバーを強制的に所定の位置まで揺動させるものが知られている（例えば、特許文献１参照）。
【０００６】
また、火力調節レバーから係合部を張り出させるのではなく係合部を別部材として形成し、火力調節レバーと重ねて同じ揺動軸に共締めしたものが知られている（例えば、特許文献２参照）。
【特許文献１】特許２９５３９８８号公報（図４，図５）
【特許文献２】特許３０５０５２５号公報（図３，図４）
【発明の開示】
【発明が解決しようとする課題】
【０００７】
上記火力調節レバーから係合部を張り出させたものでは、点消火ボタンを押し操作して点消火ボタンの一部で係合部を押して火力調節レバーを揺動させることになるが、火力調節レバーは火力調節レバーの先端を把持して操作するのに最適な位置に設けられた揺動軸を中心に揺動するため、点消火ボタンで押して火力調節レバーを揺動させる際に揺動軸が最適な位置とは言えない場合が生じる。
【０００８】
また、係合部を別部材とするものでは、このような揺動軸に関する不具合に加えて、ニードル弁から突き出されたピンに火力調節レバーと係合部材とが係合するため、いずれか一方がニードル弁の軸心から遠くなり、ニードル弁に偏荷重が作用するという不具合が生じる。
【０００９】
そこで本発明は、上記の問題点に鑑み、このような従来の火力調節装置の不具合を解消した火力調節装置を提供することを課題とする。
【課題を解決するための手段】
【００１０】
上記課題を解決するために本発明による火力調節装置は、ガス通路に介設されたニードル弁にピンを突設し、このピンに火力調節レバーを係合させて、火力調節レバーを操作することによりニードル弁を進退させてガス通路の通路面積を増減しガスの流量を調節する火力調節装置であって、火力調節レバーとは別個に点消火ボタンを備え、この点消火ボタンによる点火操作時にニードル弁を点火に適した火力位置まで移動させる点火火力設定手段を備えたものにおいて、点火火力設定手段を、点消火ボタンの点火操作により揺動されるカム板形状に構成すると共に、上記ピンをニードル弁から相違する２方向に突出させ、一方のピンに火力調節レバーを係合させ他方のピンに点火火力設定手段を係合させ、さらに火力調節レバーを揺動自在に保持する揺動軸とは別の揺動軸により点火火力設定手段を保持させたことを特徴とする。
【発明の効果】
【００１１】
以上の説明から明らかなように、本発明は、ニードル弁から２方向にピンを突出させ、火力調節レバーと点火火力設定手段とを各々のピンに係合させることにより、火力調節レバーと点火火力設定手段との双方に最適な位置に揺動軸を設定することができる。また、係合位置をニードル弁に可及的に近づけることができるので、ニードル弁に作用する偏荷重を最小限にすることができる。
【発明を実施するための最良の形態】
【００１２】
図１を参照して、１は本発明による火力調節装置であり、火力を手動調節するための火力調節レバー３が設けられている。この火力調節レバー３は揺動軸であるネジ３１により揺動自在に保持されている。また、この火力調節装置１にはガス通路１１の通路面積を増減しガス送出口１２からガスバーナ（図示せず）へ送られるガス量を増減するニードル弁２が進退自在に保持されている。このニードル弁２にはニードル弁２の進退方向に対して直角方向に長手となるピン２１が、ニードル弁２の両側に突出するように貫通されている。そして、このピン２１の図において上側に上述の火力調節レバー３が係合している。この火力調節レバー３にはカム溝が形成されており、そのカム溝にピン２１が挿通され、火力調節レバー３が揺動されるとニードル弁２が進退する。
【００１３】
火力調節装置１には火力調節レバー３とは別個に点消火ボタン４が設けられている。この点消火ボタン４は既知のプッシュプッシュ機構に連結されており、点消火ボタン４を押し操作すると押し込まれた位置で保持され、再度点消火ボタン４を押し操作すると保持が解除され元の位置に戻るように構成されている。
【００１４】
点火時に点消火ボタン４を押し操作すると、点消火ボタン４に押されて元弁１３および安全弁１４が強制的に開弁されると共に、点火スイッチ１５がオンになり、図外の点火装置が作動してガスバーナへ点火が行われる。ただし、その点火の際にガスバーナからある程度以上のガスが噴出していないと点火しづらいため、点火操作時に火力を点火に適した火力に強制的に変更する点火火力設定手段である点火火力設定板５を取り付けた。
【００１５】
この点火火力設定板５はカム板形状に構成され、上記ネジ３１とは別のネジ５１を揺動軸として揺動自在に保持されている。本実施に形態では、ネジ３１とネジ５１とをｄだけずらせて設けた。図２を参照して、点火火力設定板５には係合部５２が形成されており、点消火ボタン４を押し操作すると、点消火ボタン４に設けられた押し部４１がこの係合部５２を押すように設定されている。図３（ａ）に示すように、この点火火力設定板５にはカム溝５３が形成されており、ピン２１の下端部がこのカム溝５３に挿通されている。なお、５０は戻しバネである。
【００１６】
点火操作時にニードル弁２が弱火位置にある状態で点消火ボタン４が押し操作されると、点火火力設定板５が揺動し、ピン２１はカム溝５３のカム面５３ａに押されて中火位置２１ａに移動される。また、点火時にニードル弁２が強火位置にある場合には、カム面５３ｂによりピン２１が中火位置２１ａに戻される。このように、図３（ａ）に示す点火火力設定板５では、ニードル弁２は中火位置に強制的に移動される。なお、点火操作が完了して点消火ボタン４への押し操作力を解除すると、ピン２１の位置、すなわちニードル弁２の位置はそのままの状態で、点火火力設定板５だけが戻しバネ５０により元の状態に戻る。
【００１７】
このように、点火時に中火にする場合の他、強火で点火を行ってもよい。強火で点火を行う場合には、図３（ｂ）に示す点火火力設定板５’を用いる。この点火火力設定板５’では、カム面５４がピン２１を押して強火位置２１ｂに移動させる。なお、点火完了後に火力調節レバー３を操作してニードル弁２を弱火側に移動させれば、ピン２１によって点火火力設定板５’が元の状態に戻されるので戻しバネ５０を設ける必要はない。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】点火火力設定板の取付状態を示す図
【図３】２種類の点火火力設定板の詳細を示す図
【符号の説明】
【００２０】
１ 火力調節装置
２ ニードル弁
３ 火力調節レバー
４ 点消火ボタン
５ 点火火力設定板
１５ 点火スイッチ
２１ ピン
３１ ネジ
５１ ネジ
５２ 係合部
５３ カム溝
５３ａ カム面
５３ｂ カム面
５４ カム面
【図１】
0004877824.tif 000002
【図２】
0004877824.tif 000003
【図３】
0004877824.tif 000004